(57)【要約】      （修正有）【課題】カバレージ及びキャパシティー最適化（ＣＣＯ）アルゴリズムを適用する自己最適化ネットワーク（ＳＯＮ）のような無線ネットワークにおけるカバレージ最適化のための情報を生成及び交換し、集中型のカバレージと比較して分散型のカバレージを容易にする。【解決手段】少なくとも一つの外部エンティティーとの通信が確立し、該少なくとも一つの外部エンティティー（ユーザ装置又は基地局）からカバレージ関連測定結果が受信する。そして、上記カバレージ関連測定結果に応じて、カバレージ・パラメータが自己最適化する。【選択図】図７
2016067011.tif 000002
【特許請求の範囲】
【請求項１】
分散カバレージ最適化を容易にする方法において、該方法は、
少なくとも一つの外部エンティティーとの通信を確立することと、
前記少なくとも一つの外部エンティティーからカバレージ関連測定結果を受信することと、
前記カバレージ関連測定結果に応じて、カバレージ・パラメータを自己最適化することを含む方法。
【請求項２】
前記少なくとも一つの外部エンティティーは、無線端末である請求項１の方法。
【請求項３】
前記カバレージ関連測定結果を収集するように、前記無線端末を設定することを更に含む請求項２の方法。
【請求項４】
前記少なくとも一つの外部エンティティーは、基地局である請求項１の方法。
【請求項５】
前記確立することは、前記基地局とのバックホール・コネクションを容易にすることを含む請求項４の方法。
【請求項６】
前記カバレージ関連測定に基づいて、カバレージ・レポートを生成することを更に含む請求項１の方法。
【請求項７】
前記カバレージ・レポートに含ませるために、カバレージ関連統計のセットを確認することを更に含み、
前記カバレージ関連統計のセットは、前記カバレージ関連測定結果にわたって計算される請求項６の方法。
【請求項８】
前記カバレージ関連統計のセットは、カバレージ品質、受信電力、受信干渉電力、ユーザ装置送信電力、セル・ジオメトリー又は経路損失のうちの少なくとも一つに関連する請求項７の方法。
【請求項９】
前記受信干渉電力は、特定の隣接局からの受信ダウンリンク干渉電力である請求項８の方法。
【請求項１０】
前記カバレージ関連測定結果にわたって、平均値、最大値又は最小値のうちの少なくとも一つを計算することを更に含む請求項７の方法。
【請求項１１】
前記計算することは、基準信号受信電力、基準信号受信品質、基準信号強度表示又はユーザ装置送信電力のうちの少なくとも一つにわたって、前記平均値、前記最大値又は前記最小値のうちの少なくとも一つを計算することを含む請求項１０の方法。
【請求項１２】
前記基準信号受信電力、前記基準信号受信品質又は前記基準信号強度表示のうちの少なくとも一つは、サービング・セルに関連する請求項１１の方法。
【請求項１３】
前記基準信号受信電力、前記基準信号受信品質又は前記基準信号強度表示のうちの少なくとも一つは、近隣セルに関連する請求項１１の方法。
【請求項１４】
前記計算することは、セル・ジオメトリー、セルにおける経路損失又はユーザ装置の信号対雑音比要求量のうちの少なくとも一つを平均することを含む請求項１０の方法。
【請求項１５】
前記計算することは、少なくとも一つの近隣セルに関連する干渉係数を計算することを含む請求項１０の方法。
【請求項１６】
前記カバレージ・レポートは、少なくとも一つのセルにより提供されるカバレージに関連する請求項６の方法。
【請求項１７】
前記少なくとも一つのセルは、近隣セルである請求項１６の方法。
【請求項１８】
前記少なくとも一つのセルは、拡張した近隣セルである請求項１６の方法。
【請求項１９】
前記カバレージ・レポートは、サービング・セルからの閾値数のホップの範囲内の拡張した近隣セルのセットに関連するカバレージ情報を含むために、ネットワーク・エンティティーにより設定可能である請求項１８の方法。
【請求項２０】
前記カバレージ・レポートを基地局へ通信することを更に含む請求項６の方法。
【請求項２１】
前記カバレージ・レポートは、カバレージ・レポートのシリーズに含まれ、
前記通信することは、期間に基づいて、前記カバレージ・レポートのシリーズをレポートすることを含む請求項２０の方法。
【請求項２２】
前記期間は、ネットワーク・エンティティーにより設定可能である請求項２１の方法。
【請求項２３】
トリガー・イベントを検出することを更に含み、
前記通信することは、前記トリガー・イベントに基づく請求項２０の方法。
【請求項２４】
前記トリガー・イベントは、前記カバレージ・レポートのためのリクエストである請求項２３の方法。
【請求項２５】
セルにおける負荷を監視することを更に含み、
前記検出することは、前記負荷が閾値を超えるかどうかについて判定することを含む請求項２３の方法。
【請求項２６】
分散カバレージ最適化を容易にするように構成される装置において、
メモリに記憶されたコンピュータ実行可能なコンポーネントを実行するように構成されるプロセッサを含み、該コンポーネントは、
少なくとも一つの外部エンティティーから少なくとも一つのカバレージ関連測定結果を受信するように構成される通信コンポーネントと、
前記少なくとも一つのカバレージ関連測定結果に応じて、カバレージ・パラメータを自己最適化するように構成される最適化コンポーネントとを含む装置。
【請求項２７】
前記少なくとも一つの外部エンティティーは、無線端末である請求項２６の装置。
【請求項２８】
前記通信コンポーネントは、設定データを前記無線端末へ提供するように更に構成され、
前記設定データは、前記少なくとも一つのカバレージ関連測定結果を収集するように前記無線端末を設定する請求項２７の装置。
【請求項２９】
前記少なくとも一つの外部エンティティーは、基地局である請求項２６の装置。
【請求項３０】
前記通信コンポーネントは、前記基地局とのバックホール・コネクションを容易にするように更に構成される請求項２９の装置。
【請求項３１】
前記少なくとも一つのカバレージ関連測定結果に基づいて、カバレージ・レポートを提供するように構成される計算コンポーネント更に含む請求項２６の装置。
【請求項３２】
前記計算コンポーネントは、前記カバレージ・レポートに含ませるために、カバレージ関連統計のセットを判定するように更に構成され、
前記カバレージ関連統計のセットは、前記少なくとも一つのカバレージ関連測定結果にわたって計算される請求項３１の装置。
【請求項３３】
前記カバレージ関連統計のセットは、カバレージ品質、受信電力、受信干渉電力、ユーザ装置送信電力、セル・ジオメトリー又は経路損失のうちの少なくとも一つに関連する請求項３２の装置。
【請求項３４】
前記受信干渉電力は、特定の隣接局からの受信ダウンリンク干渉電力である請求項３３の装置。
【請求項３５】
前記計算コンポーネントは、前記少なくとも一つのカバレージ関連測定結果にわたって、平均値、最大値又は最小値のうちの少なくとも一つを計算するように更に構成される請求項３２の装置。
【請求項３６】
前記計算コンポーネントは、基準信号受信電力、基準信号受信品質、基準信号強度表示又はユーザ装置送信電力のうちの少なくとも一つにわたって、前記平均値、前記最大値又は前記最小値のうちの少なくとも一つを計算するように更に構成される請求項３５の装置。
【請求項３７】
前記基準信号受信電力、前記基準信号受信品質又は前記基準信号強度表示のうちの少なくとも一つは、サービング・セルに関連する請求項３６の装置。
【請求項３８】
前記基準信号受信電力、前記基準信号受信品質又は前記基準信号強度表示のうちの少なくとも一つは、近隣セルに関連する請求項３６の装置。
【請求項３９】
前記計算コンポーネントは、セル・ジオメトリー、セルにおける経路損失又はユーザ装置の信号対雑音比要求量のうちの少なくとも一つの平均を実行するように更に構成される請求項３５の装置。
【請求項４０】
前記計算コンポーネントは、少なくとも一つの近隣セルに関連する干渉係数を計算するように更に構成される請求項３５の装置。
【請求項４１】
前記カバレージ・レポートは、少なくとも一つのセルにより提供されるカバレージに関連する請求項３１の装置。
【請求項４２】
前記少なくとも一つのセルは、近隣セルである請求項４１の装置。
【請求項４３】
前記少なくとも一つのセルは、拡張した近隣セルである請求項４１の装置。
【請求項４４】
前記カバレージ・レポートは、サービング・セルからの閾値数のホップの範囲内の拡張した近隣セルのセットに関連するカバレージ情報を含むために、ネットワーク・エンティティーにより設定可能である請求項４３の装置。
【請求項４５】
前記通信コンポーネントは、前記カバレージ・レポート基地局へ通信するように更に構成される請求項３１の装置。
【請求項４６】
前記カバレージ・レポートは、カバレージ・レポートのシリーズに含まれ、
前記通信コンポーネントは、期間に基づいて、前記カバレージ・レポートのシリーズをレポートするように更に構成される請求項４５の装置。
【請求項４７】
前記期間は、ネットワーク・エンティティーにより設定可能である請求項４６の装置。
【請求項４８】
トリガー・イベントを検出するように構成されるトリガー・コンポーネントを更に含み、
前記通信コンポーネントは、前記トリガー・イベントに基づいて、前記カバレージ・レポートを通信するように更に構成される請求項４５の装置。
【請求項４９】
前記トリガー・イベントは、前記カバレージ・レポートのためのリクエストである請求項４８の装置。
【請求項５０】
前記トリガー・コンポーネントは、セルにおけるロードが閾値を超えるかどうか判定するように更に構成される請求項４８の装置。
【請求項５１】
分散カバレージ最適化を容易にするコンピュータ・プログラム製品において、
少なくとも一つのコンピュータに、
少なくとも一つの外部エンティティーとの通信を確立させ、
前記少なくとも一つの外部エンティティーから少なくとも一つのカバレージ関連測定結果を受信させ、
前記少なくとも一つのカバレージ関連測定結果に応じて、カバレージ・パラメータを自己最適化させるためのコードを含むコンピュータ読み取り可能な記憶媒体を含むコンピュータ・プログラム製品。
【請求項５２】
前記コードは、更に、前記少なくとも一つのコンピュータに、前記少なくとも一つのカバレージ関連測定結果に基づいて、カバレージ・レポートを提供させる請求項５１のコンピュータ・プログラム製品。
【請求項５３】
前記コードは、更に、前記少なくとも一つのコンピュータに、前記カバレージ・レポートに含ませるために、カバレージ関連統計のセットを判定させ、
前記カバレージ関連統計のセットは、前記少なくとも一つのカバレージ関連測定結果にわたって計算される請求項５２のコンピュータ・プログラム製品。
【請求項５４】
前記コードは、更に、前記少なくとも一つのコンピュータに、前記少なくとも一つのカバレージ関連測定結果にわたって、平均値、最大値又は最小値のうちの少なくとも一つを計算させる請求項５３のコンピュータ・プログラム製品。
【請求項５５】
前記コードは、更に、前記少なくとも一つのコンピュータに、前記カバレージ・レポート基地局へ通信させる請求項５２のコンピュータ・プログラム製品。
【請求項５６】
分散カバレージ最適化を容易にするように構成される装置において、該装置は、
少なくとも一つの外部エンティティーとの通信を確立するための手段と、
前記少なくとも一つの外部エンティティーからカバレージ関連測定結果を受信するための手段と、
前記カバレージ関連測定結果に応じて、カバレージ・パラメータを自己最適化するための手段とを含む装置。
【請求項５７】
前記カバレージ関連測定に基づいて、カバレージ・レポートを生成するための手段を更に含む請求項５６の装置。
【請求項５８】
前記カバレージ・レポートは、少なくとも一つのセルにより提供されるカバレージに関連する請求項５７の装置。
【請求項５９】
前記カバレージ・レポートに含ませるために、カバレージ関連統計のセットを確認するための手段を更に含み、
前記カバレージ関連統計のセットは、前記カバレージ関連測定結果にわたって計算される請求項５７の装置。
【請求項６０】
前記カバレージ関連統計のセットは、カバレージ品質、受信電力、受信干渉電力、ユーザ装置送信電力、セル・ジオメトリー又は経路損失のうちの少なくとも一つに関連する請求項５９の装置。
【発明の詳細な説明】
【技術分野】
【０００１】
（関連出願の相互参照）
この出願は、２００９年５月８日付け提出された「Method and Apparatus for Generating and Exchanging Information for Coverage Optimization in Wireless Networks」と題された米国仮出願第６１／１７６，６４４号の優先権を主張する。当該出願は、参照によってその全体が本明細書に組み込まれる。
【０００２】
（技術分野）
以下の説明は、一般に無線通信に関し、より詳しくは分散カバレージ最適化を容易にするための情報を生成及び交換するための方法及び装置に関する。
【背景技術】
【０００３】
様々なタイプの通信コンテンツ（例えば、ボイス、データなど）を提供するために無線通信システムが広く配備される。これらのシステムは、利用可能なシステム資源（例えばバンド幅及び送信電力）を共有することによって複数のユーザとの通信をサポートすることができる多元接続システムであり得る。そのようなマルチアクセス・システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム及び直交周波数分割多元接続（ＯＦＤＭＡ）システムを含む。
【０００４】
通常、無線多元接続通信システムは、複数の無線端末のための通信を同時にサポートすることができる。各々の端末は、順方向及び逆方向リンク上での伝送を介して１又は複数の基地局と通信する。順方向リンク（又はダウンリンク）は基地局から端末への通信リンクを指し、逆方向リンク（又はアップリンク）は端末から基地局への通信リンクを指す。
この通信リンクは、単一入力単一出力、多重入力単一出力又は多重入力多重出力（ＭＩＭＯ）システムを介して確立され得る。
【０００５】
ＭＩＭＯシステムは、データ伝送のために複数の（ＮＴ個の）送信アンテナ及び複数の（ＮＲ個の）受信アンテナを使用する。ＮＴ個の送信アンテナ及びＮＲ個の受信アンテナにより形成されるＭＩＭＯチャネルは、ＮＳ個の独立したチャネル（それは空間チャネルとも呼ばれる）に分解され得る。ここで、ＮＳ≦ｍｉｎ｛ＮＴ，ＮＲ｝である。ＮＳ個の独立したチャネルの各々は、次元に対応する。複数の送信及び受信アンテナにより作成される更なる次元が利用される場合、ＭＩＭＯシステムは、向上されたパフォーマンス（例えば、より高いスループット及び／又はより大きな信頼性）を提供することができる。
【０００６】
ＭＩＭＯシステムは、時分割双方向（ＴＤＤ）及び周波数分割双方向（ＦＤＤ）システムをサポートする。ＴＤＤシステムにおいて、順方向及び逆方向リンク伝送は、相互関係原則が逆方向リンク・チャネルから順方向リンク・チャネルを推定することを可能にするように、同一の周波数領域上にある。これは、アクセスポイントにおいて複数のアンテナが利用できるときに、アクセスポイントが順方向リンク上の送信ビームフォーミング利得（transmit beamforming gain）を抽出するのを可能にする。
【０００７】
無線通信における特定の発展（transmit beamforming gain）は、カバレージ及びキャパシティーを向上させることに向けられた。実際に、十分な品質のサービング・セル・カバレージを提供すること及びネットワーク・キャパシティーを拡張することは、ネットワークオペレータにより実行されるネットワーク最適化アクティビティーの非常に望ましい目標（objectives）である。ネットワークにおけるカバレージ及びキャパシティー最適化（coverage and capacity optimization）（ＣＣＯ）のコストを削減する方法を模索することは、オペレータの投資収益率（Return on Investment）（ＲＯＩ）にとって特に重要である。したがって、自己最適化ネットワーク（ＳＯＮ）キャパシティーの標準化が、３ＧＰＰにおいて現在続行されている。ここで、ＣＣＯは、３ＧＰＰにおいて標準化されているＳＯＮ使用可能なネットワーク（SON-capable networks）の大きな機能性のうちの一つである。とはいえ、現在のＳＯＮ使用可能なネットワークは、それらがそのような自己最適化を実行することを集中型のインフラストラクチャーにあまりに重く依存するので、しばしば非効率的である。それゆえ、より効率的なＳＯＮ使用可能なネットワークを容易にするための方法及び装置を開発することは望ましいであろう。
【０００８】
上記の現在の無線通信システムの不備（deficiencies）は、単に従来のシステムの問題の幾つかの概要を提供することを意図されており、網羅的（exhaustive）であることを意図されていない。従来のシステムに関連する他の問題及び本明細書で説明される様々な非制限的な実施形態の対応する利点は、以下の説明のレビューの上で更に明らかになり得る。
【発明の概要】
【０００９】
以下は、そのような実施形態の基本的な理解を提供するために、１又は複数の実施形態の簡略化された概要を示す。この概要は、すべての予期される実施形態の外延的な概要であるというわけではなく、また、すべての実施形態の鍵となる又は重要な要素を識別することも、一部又は全部の実施形態の範囲を線引きすることも、いずれも意図されていない。その唯一の目的は、後で示されるより詳しい説明への前置きとして１又は複数の実施形態の幾つかの概念を簡略化された形で提示することである。
【００１０】
１又は複数の実施形態及びその対応する開示に従って、無線ネットワークにおけるカバレージ最適化のための情報を生成及び交換することに関連して様々な態様が説明される。
一つの態様において、分散カバレージ最適化を容易にするための方法及びコンピュータ・プログラム製品が開示される。そのような実施形態の中で、少なくとも一つの外部エンティティーとの通信が確立され、上記少なくとも一つの外部エンティティーからカバレージ関連測定結果が受信される。そして、上記カバレージ関連測定結果に応じて、カバレージ・パラメータが自己最適化される。
【００１１】
他の態様において、分散カバレージ最適化を容易にするように構成される装置が開示される。そのような実施形態の中で、該装置は、メモリに記憶されたコンピュータ実行可能なコンポーネントを実行するように構成されるプロセッサを含む。上記コンピュータ実行可能なコンポーネントは、通信コンポーネント及び最適化コンポーネントを含む。この実施形態について、上記通信コンポーネントは、少なくとも一つの外部エンティティーから少なくとも一つのカバレージ関連測定結果を受信するように構成され、一方、上記最適化コンポーネントは、上記少なくとも一つのカバレージ関連測定結果に応じて、カバレージ・パラメータを自己最適化するように構成される。
【００１２】
更なる態様において、他の装置が開示される。そのような実施形態の中で、該装置は、確立するための手段、受信するための手段及び自己最適化するための手段を含む。この実施形態について、上記確立するための手段は、少なくとも一つの外部エンティティーとの通信を確立し、一方、上記受信するための手段は、上記少なくとも一つの外部エンティティーからカバレージ関連測定結果を受信するための手段を含む。上記自己最適化するための手段は、上記カバレージ関連測定結果に応じて、カバレージ・パラメータを自己最適化する。該装置はまた、上記カバレージ関連測定に基づいて、カバレージ・レポートを生成するための手段、及び、上記カバレージ・レポートに含ませるために、カバレージ関連統計のセットを確認するための手段を含む。そのような実施形態の中で、上記カバレージ関連統計のセットは、上記カバレージ関連測定結果にわたって計算される。
【００１３】
前述の目的及び関係する目的の達成のために、１又は複数の実施形態は、以下に十分に説明され、特に特許請求の範囲において指摘された特徴を包含する。以下の説明及び添付された図面は、１又は複数の実施形態の幾つかの説明的な態様を説明する。これらの態様は、しかし、様々な実施形態の原理が使用されることのできる様々な方法のうちのほんの数例を示す。また、この説明は、すべてのそのような態様及びそれらの均等物を含むことが意図される。
【図面の簡単な説明】
【００１４】
【図１】図１は、本明細書で説明される様々な態様に従った無線通信システムの説明図である。
【図２】図２は、本明細書で説明される様々なシステム及び方法とともに使用されることができる例示的な無線ネットワーク環境の説明図である。
【図３】図３は、ネットワーク環境内でのアクセスポイント基地局の配備を可能にする例示的な通信システムを示す。
【図４】図４は、対象となる明細書（specification）の態様に従った分散カバレージ最適化を容易にする例示的な環境のオーバービューである。
【図５】図５は、対象となる明細書の態様に従った分散カバレージ最適化を容易にする例示的な自己最適化ユニットのブロック図を示す。
【図６】図６は、一実施形態に従った分散カバレージ最適化を実現する複数の電気コンポーネントの例示的な結合の説明図である。
【図７】図７は、対象となる明細書の態様に従った自己最適化を実行するための例示的な手順を示すフローチャートである。
【図８】図８は、対象となる明細書の態様に従ったカバレージ・レポートを広めるための例示的な手順を示すフローチャートである。
【図９】図９は、一実施形態に従った分散カバレージ最適化を容易にする例示的なネットワークを示す。
【図１０】図１０は、複数のセルを含む様々な態様に従って実装される例示的な通信システムの説明図である。
【図１１】図１１は、本明細書で説明される様々な態様に従った例示的な基地局の説明図である。
【図１２】図１２は、本明細書で説明される様々な態様に従って実装される例示的な無線端末の説明図である。
【詳細な説明】
【００１５】
さて、様々な実施形態が図面を参照して説明される。ここで、全体にわたって同様のエレメントを指し示すために同様の参照番号が使用される。以下の記述では、説明の目的のために、多数の特定の細部が、１又は複数の実施形態の深い理解を与えるために説明される。しかし、そのような（１又は複数の）実施形態がこれら特定の細部なしに実施され得ることは明らかであろう。他のインスタンスにおいて、１又は複数の実施形態の説明を容易にするために、良く知られた構造及びデバイスが、ブロック図の形で示される。
【００１６】
対象となる明細書は、自己カバレージ及びキャパシティー最適化（self-coverage and capacity optimization）（ＣＣＯ）を容易にするための情報を生成し、交換することに向けられる方法及び装置を開示する。そのために、ネットワークにおいて自己ＣＣＯを自動的に実行する（すなわち、人間の介入なしで又は最小限の人間の介入で実行される）ための幾つかの方法が考慮される点にまず留意される。例えば、ネットワークにおける中心的なエンティティーが所与のネットワーク・エリアにおいてＣＣＯを実行する集中型アプローチが考慮される。そのような集中型のアプローチは、ＣＣＯアルゴリズムへの入力として使用されるために中心的なエンティティーに利用可能となる、ネットワーク・エレメント（例えば、基地局、発展型Ｎｏｄｅ Ｂ（evolved Node Bs）など）及び／又はＵＥにより収集されるカバレージ／キャパシティー関連情報に基づくことができる。また一方、対象となる明細書は、分散最適化に向けられる。そのような実施形態の中で、ネットワーク・エレメントは、他のネットワーク・エレメントと交換される及び／又はネットワーク・エレメントによりサービスされる無線端末によりレポートされる、ネットワーク・エレメント内で利用できる情報に基づいて、それらの自身のＣＣＯを実行する。
【００１７】
本明細書で説明される技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、高速パケット・アクセス（ＨＳＰＡ）及び他のシステムなどのような、様々な無線通信システムのために使用されることができる。用語“システム”及び“ネットワーク”はしばしば互換的に使用される。ＣＤＭＡシステムは、例えばユニバーサル地上無線アクセス（ＵＴＲＡ）、ＣＤＭＡ２０００などのような無線技術を実装することができる。ＵＴＲＡは、ワイドバンドＣＤＭＡ（Ｗ−ＣＤＭＡ（登録商標））及びＣＤＭＡの他の変形を含む。ＣＤＭＡ２０００は、ＩＳ−２０００、ＩＳ−９５及びＩＳ−８５６標準をカバーする。ＴＤＭＡシステムは、例えばグローバル移動体通信システム（ＧＳＭ（登録商標））のような無線技術を実装することができる。ＯＦＤＭＡシステムは、例えば発展型ＵＴＲＡ（Evolved UTRA）（Ｅ−ＵＴＲＡ）、ウルトラ・モバイル・ブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、Ｆｌａｓｈ−ＯＦＤＭ（登録商標）などのような無線技術を実装することができる。ＵＴＲＡ及びＥＵＴＲＡは、ユニバーサル移動通信システム（ＵＭＴＳ）の一部である。３ＧＰＰロングタームエボリューション（ＬＴＥ）は、Ｅ−ＵＴＲＡを使用するＵＭＴＳのリリースである。そして、それは、ダウンリンク上でＯＦＤＭＡを使用し、アップリンク上でＳＣ−ＦＤＭＡを使用する。
【００１８】
シングルキャリア周波数分割多元接続（ＳＣ−ＦＤＭＡ）は、シングルキャリア変調及び周波数領域イコライゼイションを利用する。ＳＣ−ＦＤＭＡは、ＯＦＤＭＡシステムと同様のパフォーマンスを有し、また、ＯＦＤＭＡシステムと基本的に同じ全体的な複雑さを有する。ＳＣ−ＦＤＭＡ信号は、その固有のシングルキャリア構造のため、より低いピーク対平均電力比（ＰＡＰＲ）を有する。ＳＣ−ＦＤＭＡは、例えば、より低いＰＡＰＲが送信電力効率に関してアクセス端末のために利益をもたらすアップリンク通信において、使用されることができる。したがって、ＳＣ−ＦＤＭＡは、３ＧＰＰロングタームエボリューション（ＬＴＥ）又は発展型ＵＴＲＡ（Evolved UTRA）におけるアップリンク多元接続スキームとして実装されることができる。
【００１９】
高速パケット・アクセス（ＨＳＰＡ）は、高速ダウンリンク・パケット・アクセス（ＨＳＤＰＡ）技術及び高速アップリンク・パケット・アクセス（ＨＳＵＰＡ）又は強化されたアップリンク（enhanced uplink）（ＥＵＬ）技術を含むことができ、また、ＨＳＰＡ＋技術を含むこともできる。ＨＳＤＰＡ、ＨＳＵＰＡ及びＨＳＰＡ＋は、それぞれ、第３世代パートナーシッププロジェクト（３ＧＰＰ）仕様のリリース５、リリース６及びリリース７の一部である。
【００２０】
高速ダウンリンク・パケット・アクセス（ＨＳＤＰＡ）は、ネットワークからユーザ装置（ＵＥ）へのデータ伝送を最適化する。本明細書で使用されるように、ネットワークからユーザ装置ＵＥへの伝送は、「ダウンリンク」（ＤＬ）と呼ばれることができる。伝送方法は、数Ｍｂｉｔ／ｓのデータレートを可能にすることができる。高速ダウンリンク・パケット・アクセス（ＨＳＤＰＡ）は、モバイル無線ネットワークのキャパシティーを増加させることができる。高速アップリンク・パケット・アクセス（ＨＳＵＰＡ）は、端末からネットワークへのデータ伝送を最適化することができる。本明細書で使用されるように、端末からネットワークへの伝送は、「アップリンク」（ＵＬ）と呼ばれることができる。アップリンク・データ伝送方法は、数Ｍｂｉｔ／ｓのデータレートを可能にすることができる。ＨＳＰＡ＋は、３ＧＰＰ仕様のリリース７の規定によりアップリンク及びダウンリンクの両方における更なる改善さえ提供する。高速パケット・アクセス（ＨＳＰＡ）方法は、一般的に、大量のデータを送信するデータ・サービス（例えば、ボイスオーバーＩＰ（ＶｏＩＰ）、テレビ会議及びモバイル・オフィス・アプリケーション）において、ダウンリンクとアップリンクとの間のより高速なインタラクション（interactions）を可能にする。
【００２１】
例えばハイブリッド自動再送要求（hybrid automatic repeat request）（HARQ）などのような高速データ伝送プロトコルは、アップリンク及びダウンリンクの上で使用されることができる。そのようなプロトコル（例えば、ハイブリッド自動再送要求（ＨＡＲＱ））は、受信者が、誤って受信されたかもしれないパケットの再送信を自動的に要求するのを可能にする。
【００２２】
アクセス端末に関連して様々な実施形態が本明細書で説明される。アクセス端末はまた、システム、加入者ユニット、加入者設備（subscriber station）、モバイル局、モバイル、リモート局、リモート端末、モバイル・デバイス、ユーザ端末、端末、無線通信デバイス、ユーザ・エージェント、ユーザ・デバイス又はユーザ装置（ＵＥ）と呼ばれることができる。アクセス端末は、セルラー電話、コードレス電話、セッション開始プロトコル（ＳＩＰ）電話、ワイヤレスローカルループ（ＷＬＬ）局、携帯情報端末（ＰＤＡ）、無線接続機能を有するハンドヘルド・デバイス、コンピュータ・デバイス、又は無線モデムに接続される他の処理デバイスであることができる。さらに、基地局に関連して様々な実施形態が本明細書で説明される。基地局は、（１又は複数の）アクセス端末と通信するために利用されることができ、また、アクセスポイント、Ｎｏｄｅ Ｂ、発展型Ｎｏｄｅ Ｂ（Evolved Node B）（ｅＮｏｄｅＢ）と呼ばれることができ又は何らかの他の専門用語で呼ばれることができる。同様に、アクセスポイント基地局に関連して様々な実施形態が本明細書で説明される。ここで、アクセスポイント基地局はまた、（１又は複数の）アクセス端末と通信するために利用されることができる。また、ここで、アクセスポイント基地局は、フェムト・セル、Ｈｏｍｅ Ｎｏｄｅ Ｂ（Home Node B）ユニット（ＨＮＢｓ）、Ｈｏｍｅ発展型Ｎｏｄｅ Ｂ（Home Evolved Node B）ユニット（ＨｅＮＢ）と呼ばれることができ又は何らかの他の専門用語で呼ばれることができる。
【００２３】
さて、図１を参照して、本明細書で提示される様々な実施形態に従った無線通信システム１００が説明される。システム１００は、複数のアンテナ・グループを含むことができる基地局１０２を含む。例えば、一つのアンテナ・グループはアンテナ１０４と１０６を含むことができ、他のグループはアンテナ１０８と１１０を含むことができ、更なるグループはアンテナ１１２と１１４を含むことができる。各々のアンテナ・グループについて二つのアンテナが示されている；しかし、各々のグループについて、より多い又はより少ないアンテナが利用されることができる。基地局１０２は、送信機チェーンと受信機チェーンを更に含むことができる。そして、それらの各々は順に信号の送信と受信に関連する複数のコンポーネント（例えば、プロセッサ、変調器、マルチプレクサ、復調器、デマルチプレクサ、アンテナ、その他）を含むことができる。そのことは当業者により認識されるであろう。
【００２４】
基地局１０２は、１又は複数のアクセス端末（例えば、アクセス端末１１６とアクセス端末１２２）と通信することができる；しかし、基地局１０２が、アクセス端末１１６及び１２２と同様の実質的に任意の数のアクセス端末と通信することができることは認識されるべきである。アクセス端末１１６と１２２は、例えば、セルラー電話、スマートフォン、ラップトップ、ハンドヘルド通信デバイス、ハンドヘルド・コンピュータ・デバイス、衛星ラジオ、グローバル・ポジショニング・システム、ＰＤＡ、及び／又は無線通信システム１００上で通信するための任意の他の適したデバイスであることができる。表されるように、アクセス端末１１６は、アンテナ１１２及び１１４と通信する。ここで、アンテナ１１２及び１１４は、順方向リンク１１８上でアクセス端末１１６へ情報を送信し、逆方向リンク１２０上でアクセス端末１１６から情報を受信する。さらに、アクセス端末１２２は、アンテナ１０４及び１０６と通信する。ここで、アンテナ１０４及び１０６は、順方向リンク１２４上でアクセス端末１２２へ情報を送信し、逆方向リンク１２６上でアクセス端末１２２から情報を受信する。周波数分割二重通信（ＦＤＤ）（frequency division duplex）システムにおいて、例えば、順方向リンク１１８は、逆方向リンク１２０により使用される周波数バンドとは異なる周波数バンドを利用することができ、順方向リンク１２４は、逆方向リンク１２６により使用される周波数バンドとは異なる周波数バンドを使用することができる。さらに、時分割二重通信（time division duplex (TDD)）（ＴＤＤ）システムにおいて、順方向リンク１１８及び逆方向リンク１２０は、共通の周波数バンドを利用することができ、順方向リンク１２４及び逆方向リンク１２６は、共通の周波数バンドを利用することができる。
【００２５】
各々のアンテナ・グループ及び／又はそれらが通信するように指定されたエリアは、基地局１０２のセクターと呼ばれることができる。例えば、各アンテナ・グループは、基地局１０２によりカバーされるエリアのセクターにおいて各アクセス端末と通信するようにデザインされることができる。順方向リンク１１８及び１２４上の通信において、基地局１０２の送信アンテナは、アクセス端末１１６及び１２２のための順方向リンク１１８及び１２４の信号対雑音比を改善するために、ビームフォーミングを利用することができる。また、基地局１０２は、関連したカバレージの至る所にランダムに散在されるアクセス端末１１６及び１２２へ送信するためにビームフォーミングを利用するとき、近隣の基地局の中のアクセス端末は、すべてのそのアクセス端末へ単一アンテナにより送信している基地局と比較して、より少ない干渉を受けることができる。
【００２６】
図２は、例示的な無線通信システム２００を示す。無線通信システム２００は、簡潔にするために、一つの基地局２１０及び一つのアクセス端末２５０を表す。しかし、システム２００が二つ以上の基地局及び／又は二つ以上のアクセス端末を含むことができる（ここで、更なる基地局及び／又はアクセス端末は、下で説明される例示的な基地局２１０及びアクセス端末２５０と実質的に同様であることもでき又は相違することもできる）ことは認識されるべきである。さらに、基地局２１０及び／又はアクセス端末２５０が、それらの間の無線通信を容易にするために、本明細書で説明されるシステム及び／又は方法を使用することができることは認識されるべきである。
【００２７】
基地局２１０において、幾つかのデータ・ストリームのためのトラフィック・データが、データソース２１２から送信（ＴＸ）データプロセッサ２１４へ提供される。一つの例によれば、各々のデータ・ストリームは、それぞれのアンテナの上に送信されることができる。ＴＸデータプロセッサ２１４は、該トラフィック・データ・ストリームを、そのデータ・ストリームのために選択される特定の符号化スキームに基づいて、フォーマット、符号化及びインターリーブして、符号化データを提供する。
【００２８】
各々のデータ・ストリームごとの符号化データは、直交周波数分割多重（ＯＦＤＭ）技術を使用して、パイロット・データとともに多重化されることができる。それに加えて又はその代わりに、パイロット・シンボルは、周波数分割多重化（ＦＤＭ）されることができ、時分割多重化（ＴＤＭ）されることができ、又は、符号分割多重化（ＣＤＭ）されることができる。パイロット・データは、一般的に、既知の方法で処理される既知のデータ・パターンであり、チャネル・レスポンスを推定するためにアクセス端末２５０において使用されることができる。各々のデータ・ストリームごとの多重化されたパイロット及び符号化データは、変調シンボルを提供するために、そのデータ・ストリームのために選択される特定の変調スキーム（例えば、二位相偏移変調（ＢＰＳＫ）、４位相偏移変調（ＱＰＳＫ）、Ｍ位相偏移変調（Ｍ−ＰＳＫ）、Ｍ−直交振幅変調（Ｍ−ＱＡＭ）、その他）に基づいて、変調（例えば、シンボル・マッピング）されることができる。各々のデータ・ストリームごとのデータレート、符号化及び変調は、プロセッサ２３０により実行又は提供されるインストラクションによって判定されることができる。
【００２９】
各々のデータ・ストリームごとの変調シンボルは、ＴＸ ＭＩＭＯプロセッサ２２０に提供されることができる。そして、ＴＸ ＭＩＭＯプロセッサ２２０は、変調シンボルを更に処理することができる（例えば、ＯＦＤＭのために）。ＴＸ ＭＩＭＯプロセッサ２２０は、それから、ＮＴ個の変調シンボル・ストリームをＮＴ個の送信機（ＴＭＴＲ）２２２ａ〜２２２ｔに提供する。様々な実施形態において、ＴＸ ＭＩＭＯプロセッサ２２０は、ビームフォーミング重みを、データ・ストリームのシンボルに及びシンボルが送信されているアンテナに、適用する。
【００３０】
各々の送信機２２２は、それぞれのシンボル・ストリームを受信し処理して、１又は複数のアナログ信号を提供し、さらに、該アナログ信号を調整（例えば、増幅、フィルタリング及びアップコンバート）して、ＭＩＭＯチャネル上での伝送に適した変調信号を提供する。さらに、送信機２２２ａ〜２２２ｔからのＮＴ個の変調信号は、それぞれ、ＮＴ個のアンテナ２２４ａ〜２２４ｔから送信される。
【００３１】
アクセス端末２５０において、送信された変調信号は、ＮＲ個のアンテナ２５２ａ〜２５２ｒにより受信され、そして、各々のアンテナ２５２からの受信信号は、それぞれの受信機（ＲＣＶＲ）２５４ａ〜２５４ｒに提供される。各々の受信機２５４は、それぞれの信号を調整（例えば、フィルタリング、増幅及びダウンコンバート）し、該調整された信号をデジタイズして、サンプルを提供し、さらに、該サンプルを処理して、対応する「受信（received）」シンボル・ストリームを提供する。
【００３２】
ＲＸデータプロセッサ２６０は、ＮＲ個の受信機２５４からのＮＲ個の受信シンボル・ストリームを受信し、特定の受信機処理技術に基づき処理して、ＮＴ個の「検出（detected）」シンボル・ストリームを提供することができる。ＲＸデータプロセッサ２６０は、データ・ストリームのためのトラフィック・データを回復するために、各々の検出シンボル・ストリームを復調、デインターリーブ及び復号化することができる。ＲＸデータプロセッサ２６０による処理は、基地局２１０におけるＴＸ ＭＩＭＯプロセッサ２２０及びＴＸデータプロセッサ２１４により実行される処理と相補的である。
【００３３】
プロセッサ２７０は、上記のようにいずれの利用可能な技術を利用するべきかについて周期的に判定することができる。さらに、プロセッサ２７０は、マトリックス・インデックス部及びランク値部を含む逆方向リンク・メッセージを作成する（formulate）ことができる。
【００３４】
逆方向リンク・メッセージは、通信リンク及び／又は受信データ・ストリームに関する様々なタイプの情報を含むことができる。逆方向リンク・メッセージは、ＴＸデータプロセッサ２３８（それはまたデータソース２３６から幾つかのデータ・ストリームのためのトラフィック・データを受信する）により処理され、変調器２８０により変調され、送信機２５４ａ〜２５４ｒにより調整され、そして、基地局２１０へ送信されることができる。
【００３５】
基地局２１０において、アクセス端末２５０からの変調信号は、アンテナ２２４により受信され、受信機２２２により調整され、復調器２４０により復調され、そして、アクセス端末２５０により送信された逆方向リンク・メッセージを抽出するために、ＲＸデータプロセッサ２４２により処理される。さらに、プロセッサ２３０は、ビームフォーミング重みの判定のためにいずれのプリコーディング行列を使用するべきかについて判定するために、該抽出されたメッセージを処理することができる。
【００３６】
プロセッサ２３０及び２７０は、それぞれ、基地局２１０及びアクセス端末２５０におけるオペレーションを指示（direct）（例えば、制御（control）、調整（coordinate）、管理（manage）、その他）することができる。それぞれのプロセッサ２３０及び２７０は、プログラム・コード及びデータを記憶するメモリ２３２及び２７２に関連することができる。プロセッサ２３０及び２７０はまた、それぞれ、アップリンク及びダウンリンクのための周波数及びインパルス応答推定を得るために計算を実行することができる。
【００３７】
図３は、ネットワーク環境内でのアクセスポイント基地局の配備を可能にするための例示的な通信システムを示す。図３で示されるように、システム３００は、複数のアクセスポイント基地局、又は、他の方法では、各々が対応する小規模ネットワーク環境（small scale network environment）（例えば、１又は複数のユーザ住居３３０）に配置されており、関連する（associated）及び外来の（alien）ユーザ装置（ＵＥ）又はモバイル局３２０にサービスするように構成されている、フェムト・セル、Ｈｏｍｅ Ｎｏｄｅ Ｂユニット（ＨＮＢ）又はＨｏｍｅ発展型Ｎｏｄｅ Ｂ（Home evolved Node B）ユニット（ＨｅＮＢ）（例えば、ＨＮＢ ３１０）を含む。各々のＨＮＢ ３１０は、ＤＳＬルータ（図示せず）又は代わりにケーブルモデム（図示せず）を介してインターネット３４０及びモバイルオペレータ・コアネットワーク３５０に更に接続される。
【００３８】
対象となる明細書は、通常、分散カバレージ最適化を容易にするための様々な態様に向けられる。特に、自動分散ＣＣＯのための情報交換のコンセプト、交換されている情報のセマンティックス（semantics）、及び交換されるべき情報を計算するための方法に向けられる実施形態が開示される。そのために、対象となる明細書の態様に従って分散カバレージ最適化を容易にする例示的なシステムのオーバービューが図４において提供される。
図示されるように、システム４００は、それぞれ無線端末４１２,４２２,４３２にサービスする複数の基地局４１０,４２０,４３０を含む。この特定の実施形態について、ＣＣＯの目的のために、基地局４１０,４２０,４３０間で情報が交換される。一つの態様において、基地局４１０,４２０,４３０は、それらが親になる（parent）セルにおける長期的な（long-term）カバレージ統計に関して情報を直接交換する。そのような実施形態の中で、該統計は、基地局４１０,４２０,４３０によって及び／又は基地局４１０,４２０,４３０が親になるセルに接続される無線端末４１２,４２２,４３２によって収集される測定結果（measurements）を反映する。特定の態様において、情報は、例えばＸ２ ＡＰ（３ＧＰＰ ＴＳ ３６．４２３）又はＳ１ ＡＰ（ＴＳ ３６．４２１）などのような標準化されたプロトコルを使用してｅＮＢ間で交換されるべき特定のメッセージ（例えば、本明細書で使用される一般名であるＣＳＩ−カバレージ統計情報（Coverage Statistics Information））にパック（packed）される。ここでは、情報は、例えば、周期的に交換（ここで、期間（period）はネットワークオペレータにより設定可能である）、基地局によるリクエストを通じて交換、及び／又は、特定の設定可能なイベントによりトリガーされる交換（例えば、セルにおける負荷が特定の閾値を超えるとき、など）、を含む複数のメカニズムのうちの任意のものによって、交換されることができる点に留意されるべきである。
【００３９】
セマンティックスに関して、ｅＮＢが、複数の特性（characteristics）のうちの任意のものに影響を及ぼすカバレージ関連統計（coverage-related statistics）を交換することができる点に留意されるべきである。例えば、一つの態様において、そのような統計は、セルにおけるダウンリンク／アップリンク・カバレージ品質、受信ダウンリンク／アップリンク電力、受信ダウンリンク／アップリンク干渉電力、特定の隣接局（neighbor）からの受信ダウンリンク干渉電力、ＵＥ送信電力レベル、セル・ジオメトリー（cell geometry）、及び／又はセルにおける経路損失（path loss）に影響を及ぼし得る。
【００４０】
更なる態様において、カバレージ関連統計は、内部のｅＮＢ測定結果及び／又はＵＥ測定レポート・メッセージ（measurement report messages）（ＭＲＭ）を使用して計算される。ここで、統計がその上で計算されるタイムスケールは、ネットワークオペレータにより設定されることができる。特定の実施形態において、カバレージ関連統計は、例えば、ＵＥ地域的分布（geographical distributions）、サービング・セル（serving cell）及び近隣セル（neighboring cells）の負荷、及び／又は、ＵＥモビリティ・パターン（mobility patterns）の変動（variations）を含む複数の変動のうちの任意のものをカバーするために、十分に長い期間（time period）にわたって計算される。
【００４１】
ここでは、ｅＮＢ間で交換されるカバレージ統計を計算するための方法が標準化できる点に留意されるべきである。例えば、交換される各々の統計の定義が標準化できる。また一方、他のアプローチは、カバレージ統計のための方法が標準化されないようにすることである。たとえば、平均セル・ジオメトリーは、０と１の間の数（ここで、より低い数は、より低いジオメトリー（lower geometry）に関連する）として定義することができる。
そして、この実施形態について、ｅＮＢは、平均ジオメトリーがどのようにして計算されるか指示することなく、単にその平均ジオメトリーを０．５として表示（indicate）することができる。同様に、セルｉの親になっているｅＮＢは、干渉係数（interference coefficient）がどのようにして計算されるか指定することなく、セルｉにおいて受信されるセルｊからの干渉のレベルを記述するための干渉係数ＩＣｉ，ｊ（例えば、ＩＣｉ，ｊ＝０．５）を広告（advertize）することができる。この場合は、標準化され得るものは、各々の統計値（statistic）及びその範囲（range）（例えば、０〜１）のセマンティックス（すなわち、意味（meaning））である。
【００４２】
先に述べたように、ｅＮＢは、内部の測定結果及び／又はＵＥのＭＲＭからカバレージ統計を計算することができる。サービング・セル及び／又は近隣セルにより、ｅＮＢは、そのｅＮＢによりサービスされるＵＥを、信号品質の測定結果を収集し、レポートするように設定することができる。一つの態様において、ＵＥは、サービング・セル及び近隣セルの信号品質を測定し、レポートすることができる。例えば、ｅＮＢは、サービング・セル及び／又は近隣セルの基準信号受信電力（Reference Signal Received Power）（ＲＳＲＰ）レベル、サービング・セル及び／又は近隣セルの基準信号受信品質（ＲＳＲＱ）レベル、無線信号強度表示（Radio Signal Strength Indication）（ＲＳＳＩ）レベル、ＵＥ送信電力レベル、特定のプロトコル（例えば、３ＧＰＰ ＴＳ ３６．４２３）により特定される他の測定結果を測定し、レポートするように、ＵＥを設定（configure）することができる。ここでは、測定レポートは、周期的なもの及び／又はトリガーされるものとして設定できることはまた留意されるべきである。
【００４３】
次に、図５を参照して、一実施形態に従った分散カバレージ最適化を容易にする例示的な自己最適化ユニットのブロック図が提供される。図示されるように、自己最適化ユニット５００は、プロセッサ・コンポーネント５１０、メモリ・コンポーネント５２０、通信コンポーネント５３０、最適化コンポーネント５４０、計算コンポーネント５５０及びトリガー・コンポーネント５６０を含んでも良い。ここでは、例えば、自己最適化ユニット５００は基地局（例えば、ｅＮＢ）又はアクセスポイント基地局（例えば、ＨｅＮＢ）に存在し得ることは理解されるべきである。
【００４４】
一つの態様において、プロセッサ・コンポーネント５１０は、複数の機能のうちの任意のものを実行することに関係するコンピュータ読み取り可能なインストラクションを実行するように構成される。プロセッサ・コンポーネント５１０は、自己最適化ユニット５００から通信される情報を解析すること、及び／又は、メモリ・コンポーネント５２０、通信コンポーネント５３０、最適化コンポーネント５４０、計算コンポーネント５５０及び／又はトリガー・コンポーネント５６０により利用されることができる情報を生成することのために専用される単一のプロセッサ又は複数のプロセッサであることができる。それに加えて又はその代わりに、プロセッサ・コンポーネント５１０は、自己最適化ユニット５００の１又は複数のコンポーネントを制御するように構成されても良い。
【００４５】
他の態様において、メモリ・コンポーネント５２０は、プロセッサ・コンポーネント５１０に接続され、また、プロセッサ・コンポーネント５１０により実行されるコンピュータ読み取り可能なインストラクションを記憶するように構成される。メモリ・コンポーネント５２０はまた、通信コンポーネント５３０、最適化コンポーネント５４０、計算コンポーネント５５０及び／又はトリガー・コンポーネント５６０のうちの任意のものによって生成されるデータを含む複数の他のタイプのデータのうちの任意のものを記憶するように構成されても良い。メモリ・コンポーネント５２０は、ランダムアクセスメモリ、バッテリー・バックアップ付きメモリ（battery-backed memory）、ハードディスク、磁気テープなどを含む数多くの異なるコンフィギュレーションで構成されることができる。また、例えば圧縮及び自動バックアップ（compression and automatic back up）（例えば、独立ドライブの冗長アレイ（Redundant Array of Independent Drives）の構成の使用）などのような様々な機能（features）が、メモリ・コンポーネント５２０に実装されることができる。  
他の態様において、通信コンポーネント５３０はまた、プロセッサ・コンポーネント５１０に接続され、また、自己最適化ユニット５００を外部エンティティーにインタフェースするように構成される。例えば、通信コンポーネント５３０は、外部エンティティーからカバレージ関連測定結果（coverage-related measurements）を受信し、計算コンポーネント５５０により生成されるカバレージ・レポートをレポートするように構成されても良い。ここでは、そのような外部エンティティーは無線端末及び／又は基地局を含んでも良い点に留意されるべきである。ここで、通信コンポーネントは、特定の通信を容易にするように構成される。例えば、無線端末に関して、通信コンポーネント５３０は、特定のカバレージ関連測定結果を収集するように無線端末を設定するために、設定データ（configuration data）を無線端末へ提供するように更に構成されても良い。また一方、基地局に関して、通信コンポーネント５３０は、（例えば、Ｓ１又はＸ２インタフェースを介した）特定の基地局とのバックホール・コネクションを容易にするように更に構成されても良い。
【００４６】
図示されるように、自己最適化ユニット５００は、最適化コンポーネント５４０及び計算コンポーネント５５０を更に含んでも良い。そのような実施形態の中で、最適化コンポーネント５４０は、少なくとも一つのカバレージ関連測定結果に応じて、カバレージ・パラメータを自己最適化するように構成され、一方、計算コンポーネント５５０は、少なくとも一つのカバレージ関連測定結果に基づいてカバレージ・レポートを提供するように構成される。特定の実施形態において、計算コンポーネント５５０は、カバレージ・レポートに含ませるために、カバレージ関連統計のセットを判定するように更に構成される。カバレージ関連統計のセットは、例えば、カバレージ品質（例えば、セルにおけるダウンリンク／アップリンク・カバレージ品質）、受信電力（例えば、受信ダウンリンク／アップリンク電力）、受信干渉電力（例えば、受信ダウンリンク／アップリンク干渉電力）、特定の隣接局からの受信ダウンリンク干渉電力、ユーザ装置送信電力、セル・ジオメトリー、及び／又は、セルの経路損失を含む複数の特徴のうちの任意のものと関連し得る点に留意されるべきである。
【００４７】
更なる態様において、計算コンポーネント５５０は、少なくとも一つのカバレージ関連測定結果にわたってカバレージ関連統計のセットを計算する。例えば、計算コンポーネント５５０は、少なくとも一つのカバレージ関連測定結果にわたって、平均値、最大値及び／又は最小値を計算するように構成されても良い。そのような実施形態の中で、計算コンポーネント５５０は、複数のカバレージ関連測定結果のうちの任意のものにわたって、それらのような計算を実行するように更に構成されても良い。ここで、それらのような測定結果は、サービング・セル及び／又は近隣セルに関連し得る。例えば、カバレージ関連測定結果は、基準信号受信電力（reference signal received powe）、基準信号受信品質（reference signal received quality）、基準信号強度表示（reference signal strength indication）及び／又はユーザ装置送信電力（user equipment transmit power）を含んでも良いと考えられる。計算コンポーネント５５０はまた、セル・ジオメトリー、セルにおける経路損失及び／又はユーザ装置の信号対雑音比要求量（requirement）の平均算出（averaging）を実行するように構成されても良い。他の態様において、計算コンポーネント５５０は、少なくとも一つの近隣セルに関連する干渉係数を計算するように更に構成されても良い。
【００４８】
ここでは、計算コンポーネント５５０により提供されるカバレージ・レポートは、少なくとも一つのセルにより提供されるカバレージに関連する点に留意される。例えば、少なくとも一つのセルは、サービング・セル、近隣セル及び／又は拡張した近隣セル（extended neighbor cell）であることができる。ここでは、拡張した近隣セルに関して、カバレージ・レポートは、拡張した近隣セルの特定のセットに関連するカバレージ情報を含むために、ネットワーク・エンティティー（例えば、無線資源コントローラ）により設定可能であっても良い。例えば、ネットワーク・エンティティーは、カバレージ・レポートがサービング・セルからの閾値数のホップの範囲内の拡張した近隣セルに関係するカバレージ関連測定結果に基づくことを、指示しても良い。
【００４９】
更なる態様において、計算コンポーネント５５０により生成されるカバレージ・レポートは、外部エンティティーに広める（disseminated）ことができる。例えば、通信コンポーネント５３０は、カバレージ・レポートを基地局へ通信するように更に構成されても良い。特定の実施形態において、カバレージ・レポートは、カバレージ・レポートのシリーズに含まれる。ここで、通信コンポーネント５３０は、期間（a period）に基づいてカバレージ・レポートのシリーズをレポートするように構成される。そのような実施形態の中で、該期間は、ネットワーク・エンティティーにより設定可能であることができる。他の実施形態において、通信コンポーネント５３０は、トリガー・コンポーネント５６０により検出されるトリガー・イベント（例えば、カバレージ・レポートのためのリクエスト）に基づいてカバレージ・レポートを通信する。この実施形態について、トリガー・コンポーネント５６０は、それゆえ、例えば、カバレージ・レポートのためのリクエスト、セルにおける負荷が閾値を超えるかどうかについての判定などを含む複数のトリガー・イベントのうちの任意のものを検出するように構成される。
【００５０】
次に、図６を参照して、一実施形態に従った分散カバレージ最適化を容易にするシステム６００が説明される。システム６００は、例えば、基地局（例えば、ｅＮＢ、ＨｅＮＢ、その他）の内部に存在することができる。システム６００は、プロセッサ、ソフトウェア又はそれらの組み合せ（例えば、ファームウェア）により実装される機能を表現することができる機能ブロックを含む。ここで、システム６００は、一緒に動作することができる電気コンポーネントの論理グループ６０２を含む。図示されるように、論理グループ６０２は、少なくとも一つの外部エンティティーとの通信を確立するための電気コンポーネント６１０を含むことができる。さらにまた、論理グループ６０２は、上記少なくとも一つの外部のエンティティーからカバレージ関連測定結果を受信するための電気コンポーネント６１２を含むことができる。論理グループ６０２はまた、上記カバレージ関連測定結果に応じて、カバレージ・パラメータを自己最適化するのための電気コンポーネント６１４を含むことができる。さらに、システム６００は、電気コンポーネント６１０,６１２及び６１４に関連する機能を実行するためのインストラクションを保持するメモリ６２０を含むことができる。メモリ６２０の外部に存在するように示されるが、電気コンポーネント６１０,６１２及び６１４がメモリ６２０の内部に存在することができることは理解されるべきである。
【００５１】
次に、図７を参照して、一実施形態に従った自己最適化を実行する例示的な方法を示すフローチャートが提供される。図示されるように、プロセス７００は、対象となる明細書の態様に従って基地局（例えば、ｅＮＢ、ＨｅＮＢ、その他）により実行され得る一連のアクトを含む。プロセス７００は、該一連のアクトを実装するためにコンピュータ読み取り可能な記憶媒体に記憶されるコンピュータ実行可能なインストラクションを実行するためにプロセッサを使用することによって、実装されても良い。他の実施形態において、少なくとも一つのコンピュータにプロセス７００のアクトを実装させるためのコードを含むコンピュータ読み取り可能な記憶媒体が考慮される。
【００５２】
一つの態様において、プロセス７００は、アクト７１０において外部エンティティー通信が確立されることから始まる。先に述べたように、例えば、そのような通信は、無線端末又は基地局との通信であることができる。通信を確立すると、アクト７２０において、外部エンティティーが無線端末であるかどうかの判定が実行される。外部エンティティーが確かに無線端末であるならば、プロセス７００はアクト７３０において無線端末を設定することによって進行する。続いて、アクト７４０において、カバレージ関連測定結果が無線端末から受信される。一方、外部エンティティーが無線端末でないならば、プロセス７００は直接アクト７４０に進み、カバレージ関連測定結果が、無線端末でない外部エンティティー（例えば、近隣セルにサービスしているｅＮＢ）から受信される。アクト７４０においてカバレージ関連測定結果を受信すると、プロセス７００は、受信されたカバレージ関連測定結果に基づいて自己ＣＣＯが実行されるアクト７５０で完了する。
【００５３】
次に、図８を参照して、カバレージ・レポートを広める例示的な方法を示すフローチャートが提供される。図示されるように、プロセス８００はまた、対象となる明細書の態様に従って基地局（例えば、ｅＮＢ、ＨｅＮＢ、その他）により実行され得る一連のアクトを含む。例えば、プロセス８００は、該一連のアクトを実装するためにコンピュータ読み取り可能な記憶媒体に記憶されるコンピュータ実行可能なインストラクションを実行するためにプロセッサを使用することによって、実装されても良い。他の実施形態において、少なくとも一つのコンピュータにプロセス８００のアクトを実装させるためのコードを含むコンピュータ読み取り可能な記憶媒体が考慮される。
【００５４】
一つの態様において、プロセス７００と類似したプロセス８００は、アクト８１０において基地局に外部エンティティーとの通信を確立させることから始める。次に、アクト８２０において、カバレージ関連測定結果が、外部エンティティー（例えば、無線端末、ｅＮＢ、ＨｅＮＢ、その他から）から受信され、続いて、アクト８３０において、該受信されたカバレージ関連測定結果に基づいて、カバレージ・レポートを生成する。プロセス８００は、それから、アクト８４０に進み、ここでは、トリガー・イベントが起こったかどうかに関して判定がなされる。ここでは、アクト８４０においてトリガー・イベントを検出することは、例えばセルにおける負荷を監視することを含む複数のトリガー・イベントのうちの任意のものを監視することを含んでも良い点に留意されるべきである。トリガー・イベントが確かに検出されたならば、プロセス８００は、カバレージ・レポートが基地局へ通信されるアクト８６０で完了する。一方、トリガー・イベントが検出されないならば、カバレージ・レポートのレポーティングは、予め定められた周期性に基づくことができる。例えば、一つの態様において、プロセス８００は、経過された期間の判定（elapsed period determination）がなされるアクト８５０に進む。ここでは、カバレージ・レポートを通信するための期間が経過したならば、プロセス８００はアクト８５０においてカバレージ・レポートが基地局へ通信されることで完了する。一方、期間がまだ経過しなかったならば、プロセス８００はトリガー・イベントが再び監視されるアクト８４０へループバックする。
【００５５】
次に、図９を参照して、分散カバレージ最適化を容易にする例示的なネットワークが提供される。図示されるように、ネットワーク９００は、基地局９１２，９２２，９３２，９４２，９５２，９６２，９７２によりそれぞれサービスされる複数のセル９１０，９２０、９３０，９４０，９５０，９６０、９７０を含む。一つの態様において、基地局９１２，９２２，９３２，９４２，９５２，９６２，９７２のうちの任意のものにより確認（ascertaine）されるカバレージ統計は、無線端末９８０，９８２，９８４，９８６のうちの任意のものにより提供されるＭＲＭを解析することによって、計算される。例えば、ｅＮＢにより計算され、他のｅＮＢと交換される統計は、ＭＲＭ中のＵＥによりレポートされた測定結果の直接的なアグリゲーション（direct aggregation）であることができる。
例えば、そのような計算は、サービング・セルの平均／最大／最小のレポートされたＲＳＲＰ／ＲＳＲＱ／ＲＳＳＩ（average/max/min reported RSRP/RSRQ/RSSI）、各々の隣接局の平均／最大／最小のレポートされたＲＳＲＰ／ＲＳＲＱ／ＲＳＳＩ、及び／又は、ＵＥの平均／最大／最小の送信電力を含んでも良い。
【００５６】
更なる態様において、ｅＮＢにより計算され、他のｅＮＢと交換される統計はまた、ＭＲＭの更なる解析により得られても良い。この特定の実施形態について、そのような計算は、例えば、平均セル・ジオメトリー、セルにおける平均経路損失、セルにおけるＵＥの平均信号対雑音比要求量、及び／又は、各々の隣接局ごとの干渉係数に、影響を与え得る。そのようなパラメータの例示的な計算は次を含んでも良い。
【００５７】
【数１】
2016067011.tif 000003
【００５８】
【数２】
2016067011.tif 000004
【００５９】
【数３】
2016067011.tif 000005
【００６０】
ここで、  
ＲＳＲＰｉ＝ＭＲＭ中のＵＥによりレポートされるセルｉのＲＳＲＰ  
Ｇｉ＝セルｉの平均ジオメトリー  
ＩＣｉ，ｊ＝セルｉに対するセルｊの干渉係数  
ＰＬｉ＝セルｉにおける平均経路損失、そして、  
ＲＳＴｘＰｏｗｅｒｉ＝セルｉにおける基準信号の送信電力  である。また、ＩＣｉ，ｊ，Ｇｉ，ＰＬｉのうちの任意のものが、ＩＣｉ，ｊに含まれることができる。
【００６１】
例示的な通信システム
次に、図１０を参照して、様々な態様に従って実装される例示的な通信システム１０００が提供される。該例示的な通信システム１０００は、複数のセルを含んでいる：セルＩ１００２、セルＭ １００４。ここでは、セル境界線領域１０６８により示されるように、近隣のセル１００２,１００４がわずかにオーバーラップし、それによって近隣のセル中の各基地局により送信される信号間の信号干渉の可能性を引き起こしている点に留意されるべきである。システム１０の各々のセル１００２,１００４は、３つのセクターを含む。同様に、様々な態様に従って、複数のセクターに再分割されなかったセル（Ｎ＝１）、２つのセクターをもつセル（Ｎ＝２）及び３つを超えるセクターをもつセル（Ｎ＞３）も可能である。セル１００２は、第１のセクター（セクターＩ １０１０）、第２のセクター（セクターＩＩ １０１２）及び第３のセクター（セクターＩＩＩ １０１４）を含む。各々のセクター１０１０,１０１２及び１０１４は、２つのセクター境界線領域を有する；各々の境界線領域は、２つの隣接するセクター間で共有される。
【００６２】
セクター境界線領域は、近隣のセクター中の基地局により送信される信号間の信号干渉の可能性を与える。ライン１０１６は、セクターｉ １０１０とセクターＩＩ １０１２との間のセクター境界線領域を表す；ライン１０１８は、セクターＩＩ １０１２とセクターＩＩＩ １０１４との間のセクター境界線領域を表す；ライン１０２０は、セクターＩＩＩ １０１４とセクター１ １０１０との間のセクター境界線領域を表す。同様に、セルＭ １００４は、第１のセクター（セクターＩ １０２２）、第２のセクター（セクターＩＩ １０２４）及び第３のセクター（セクターＩＩＩ １０２６）を含む。ライン１０２８は、セクターｉ １０２２とセクターＩＩ １０２４との間のセクター境界線領域を表す；ライン１０３０は、セクターＩＩ １０２４とセクターＩＩＩ １０２６との間のセクター境界線領域を表す；ライン１０３２行は、セクターＩＩＩ １０２６とセクターｉ １０２２との間の境界線領域を表す。セルＩ １００２は、基地局（ＢＳ）（基地局Ｉ １００６）及び各々のセクター１０１０,１０１２,１０１４中の複数のエンドノード（ＥＮ）を含む。セクターＩ １０１０は、無線リンク１０４０,１０４２をそれぞれ介してＢＳ １００６に接続されるＥＮ（１） １０３６及びＥＮ（Ｘ） １０３８を含む；セクターＩＩ１０１２は、無線リンク１０４８,１０５０をそれぞれ介してＢＳ １００６に接続されるＥＮ（１’）１０４４及びＥＮ（Ｘ’）１０４６を含む；セクターＩＩＩ １０１４は、無線リンク１０５６,１０５８をそれぞれ介してＢＳ １００６に接続されるＥＮ（１’’）１０５２及びＥＮ（Ｘ’’）１０５４を含む。同様に、セルＭ １００４は、基地局Ｍ１００８及び各々のセクター１０２２,１０２４及び１０２６中の複数のエンドノード（ＥＮ）を含む。セクターＩ １０２２は、無線リンク１０４０’，１０４２’をそれぞれ介してＢＳ Ｍ １００８に接続されるＥＮ（１） １０３６’及びＥＮ（Ｘ） １０３８’を含む；セクターＩＩ １０２４は、無線リンク１０４８’，１０５０’をそれぞれ介してＢＳ Ｍ １００８に接続されるＥＮ（１’） １０４４’及びＥＮ（Ｘ’） １０４６’を含む；セクター ３ １０２６は、無線リンク１０５６’，１０５８’をそれぞれ介してＢＳ １００８に接続されるＥＮ（１’’） １０５２’及びＥＮ（Ｘ’’） １０５４’を含む。
【００６３】
システム１０００はまた、ネットワーク・リンク１０６２,１０６４をそれぞれ介してＢＳ Ｉ １００６及びＢＳ Ｍ １００８に接続されるネットワーク・ノード１０６０を含む。ネットワーク・ノード１０６０はまた、他のネットワーク・ノード（例えば、他の基地局、ＡＡＡサーバ・ノード、中間ノード、ルータなど）に接続され、また、ネットワーク・リンク１０６６を介してインターネットに接続される。ネットワーク・リンク１０６２,１０６４,１０６６は、例えば、光ファイバーケーブルであっても良い。各々のエンドノード（例えば、ＥＮ １ １０３６）は、受信機だけでなく送信機を含む無線端末であっても良い。無線端末（例えば、ＥＮ（１） １０３６）は、システム１０００全体にわたって移動しても良く、また、ＥＮが現在位置するセル中の基地局との無線リンクを介して通信しても良い。無線端末（ＷＴ）（例えば、ＥＮ（１） １０３６）は、基地局（例えば、ＢＳ １００６）を介してピア・ノード（例えば、システム１０００中の又はシステム１０００の外部の他のＷＴ）と通信しても良く、及び／又は、ネットワーク・ノード１０６０と通信しても良い。ＷＴ（例えば、ＥＮ（１） １０３６）は、例えばセルラー電話、無線モデムをもつパーソナル・データ・アシスタントなどのような、モバイル通信デバイスであっても良い。それぞれの基地局は、ストリップ−シンボル期間のための方法を使用してトーン・サブセット割り当てを実行する。この方法は、残りの（rest）シンボル期間（例えば、非ストリップ−シンボル期間）におけるトーン割り当て及びトーン・ホッピングの判定のために使用される方法とは異なる方法である。無線端末は、それらが特定のストリップ−シンボル期間においてデータ及び情報を受信するために使用することができるトーンを判定するために、基地局から受信される情報（例えば、基地局のスロープＩＤ（slope ID）、セクターＩＤの情報）をトーン・サブセット割り当て方法とともに使用する。トーン・サブセット割り当てシーケンスは、インター・セクター及びインター・セル干渉をそれぞれのトーンの全体にわたって分散させるための様々な態様に従って、構築される（constructed）。対象となるシステムがセルラー・モードのコンテキストの範囲内で主に説明されたが、複数のモードが本明細書で説明される態様に従って利用（available）及び使用（employable）され得ることは認識されるべきである。
【００６４】
例示的な基地局
図１１は、様々な態様に従った例示的な基地局１１００を示す。基地局１１００は、セルのそれぞれの異なるセクター・タイプのために生成される異なるトーン・サブセット割り当てシーケンスを実装する。基地局１１００は、図１０のシステム１０００の基地局１００６,１００８の任意の一つとして使用されても良い。基地局１１００は、バス１１０９により一緒に接続された、受信機１１０２、送信機１１０４、プロセッサ１１０６（例えば、ＣＰＵ）、入出力インタフェース１１０８及びメモリ１１１０を含む。各種のエレメント１１０２,１１０４,１１０６,１１０８及び１１１０は、バス１１０９の上でデータ及び情報を交換し得る。
【００６５】
受信機１１０２に接続されるセクタライズ・アンテナ１１０３は、該基地局のセルの中の各々のセクターからの無線端末の伝送から、データ及び他の信号（例えば、チャネル・レポート）を受信するために使用される。送信機１１０４に接続されるセクタライズ・アンテナ１１０５は、該基地局のセルの各々のセクターの中の無線端末１２００（図１２を参照）へ、データ及び他の信号（例えば、制御信号、パイロット信号、ビーコン信号など）を送信するために使用される。様々な態様において、基地局１１００は、複数の受信機１１０２及び複数の送信機１１０４を（例えば、各々のセクターのための個別の受信機１１０２及び各々のセクターのための個別の送信機１１０４）使用しても良い。プロセッサ１１０６は、例えば、汎用中央演算処理装置（ＣＰＵ）であっても良い。プロセッサ１１０６は、メモリ１１１０に記憶される１又は複数のルーチン１１１８の指示（direction）の下で基地局１１００のオペレーションを制御し、方法を実装する。Ｉ／Ｏインタフェース１１０８は、他の基地局、アクセス・ルータ、ＡＡＡサーバ・ノード、その他、他のネットワーク、及びインターネットへＢＳ １１００を接続させる、他のネットワーク・ノードへのコネクションを提供する。メモリ１１１０は、ルーチン群１１１８及びデータ／情報１１２０を含む。
【００６６】
データ／情報１１２０は、データ１１３６、ダウンリンク・ストリップ−シンボル時間情報（downlink strip-symbol time information）１１４０及びダウンリンク・トーン情報１１４２を含むトーン・サブセット割り当てシーケンス情報１１３８、及び、複数のＷＴ情報のセット（ＷＴ １情報１１４６及びＷＴ Ｎ情報１１６０）を含む無線端末（ＷＴ）データ／情報１１４４を含む。各々のＷＴ情報（例えば、ＷＴ １情報１１４６）のセットは、データ１１４８、端末ＩＤ １１５０、セクターＩＤ １１５２、アップリンク・チャネル情報１１５４、ダウンリンク・チャネル情報１１５６、及びモード情報１１５８を含む。
【００６７】
ルーチン群１１１８は、通信ルーチン群１１２２及び基地局制御ルーチン群１１を含む。基地局制御ルーチン群１１２４は、スケジューラ・モジュール１１２６、並びに、ストリップ−シンボル期間のためのトーン・サブセット割り当てルーチン１１３０、残りのシンボル期間（例えば、非ストリップ−シンボル期間）のための他のダウンリンク・トーン割り当てホッピング・ルーチン群１１３２及びビーコン・ルーチン１１３４を含むシグナリング・ルーチン１１２８を含む。
【００６８】
データ１１３６は、ＷＴへの送信に先立って符号化するために送信機１１０４の符号器１１１４に送られるであろう送信されるべきデータ、及び、受信の後で受信機１１０２の復号器１１１２により処理されたＷＴからの受信データを含む。ダウンリンク・ストリップ−シンボル時間情報１１４０は、フレーム同期構造情報（frame synchronization structure information）（例えば、スーパースロット、ビーコンスロット及びウルトラスロット構造情報）、及び、所与のシンボル期間がストリップ−シンボル期間であるかどうかを特定し、その場合はストリップ−シンボル期間のインデックスを特定し、更に、該ストリップ−シンボルが、基地局により使用されるトーン・サブセット割り当てシーケンスをトランケート（truncate）するためのリセット・ポイントであるかどうかを特定する情報を含む。ダウンリンク・トーン情報１１４２は、基地局１１００に割り当てられるキャリア周波数、トーンの数及び周波数、ストリップ−シンボル期間に割り当てられるトーン・サブセットのセット、及び、他のセル及びセクターに特有の値（例えば、スロープ、スロープ・インデックス及びセクター・タイプ）を含む情報を含む。
【００６９】
データ１１４８は、ＷＴ１ １１００がピア・ノードから受信したデータ、ＷＴ １ １１００がピア・ノードに送信されることを望むデータ、及び、ダウンリンク・チャネル品質レポート・フィードバック情報を含んでも良い。端末ＩＤ １１５０は、基地局１１００が割り当てた、ＷＴ１ １１を識別するＩＤである。セクターＩＤ １１５２は、ＷＴ１１１００が動作しているセクターを識別する情報を含む。セクターＩＤ １１５２は、例えば、セクター・タイプを判定するのに使用されることができる。アップリンク・チャネル情報１１５４は、例えば、データのためのアップリンク・トラフィック・チャネル・セグメント、リクエストのための専用アップリンク制御チャネル（dedicated uplink control channels for requests）、電力制御、タイミング制御などを使用するために、スケジューラ１１２６によりＷＴ１ １１００に割り当てられたチャネル・セグメントを識別する情報を含む。ＷＴ１ １１００に割り当てられる各々のアップリンク・チャネルは、１又は複数の論理トーン（logical tone）を含む（各々の論理トーンは、アップリンク・ホッピング・シーケンスの後に続く）。ダウンリンク・チャネル情報１１５６は、データ及び／又は情報をＷＴ１ １１００へ運ぶためにスケジューラ１１２６により割り当てられたチャネル・セグメント（例えば、ユーザ・データのためのダウンリンク・トラフィックチャネル・セグメント）を識別する情報を含む。ＷＴ１ １１００に割り当てられる各々のダウンリンク・チャネルは、１又は複数の論理トーンを含む（各々はダウンリンク・ホッピング・シーケンスの後に続く）。モード情報１１５８は、ＷＴ１ １１００のオペレーションの状態（例えば、スリープ（sleep）、ホールド（hold）、オン（on））を識別する情報を含む。
【００７０】
通信ルーチン１１２２は、様々な通信オペレーションを実行し、様々な通信プロトコルを実装するように、基地局１１００を制御する。基地局制御ルーチン１１２４は、基本的な基地局の機能的なタスク（例えば、信号の生成及び受信、スケジューリング）を実行し、ストリップ−シンボル期間の間にトーン・サブセット割り当てシーケンスを使用して無線端末に信号を送信することを含む幾つかの態様の方法のステップを実装するように、基地局１１００を制御するために使用される。
【００７１】
シグナリング・ルーチン１１２８は、その復号器１１１２をもつ受信機１１０２及びその符号器１１１４をもつ送信機１１０４のオペレーションを制御する。シグナリング・ルーチン１１２８は、送信データ１１３６及び制御情報の生成を制御する役割を果たす（responsible）。トーン・サブセット割り当てルーチン１１３０は、態様の方法を使用して、及び、ダウンリンク・ストリップ−シンボル時間情報１１４０及びセクターＩＤ １１５２を含むデータ／情報１１２０を使用して、ストリップ−シンボル期間において使用されるべきトーン・サブセットを構築する。ダウンリンク・トーン・サブセット割り当てシーケンスは、一つのセルにおける各々のセクター・タイプごとに異なり、また、隣接するセルについて異なるであろう。ＷＴ １１００は、ダウンリンク・トーン・サブセット割り当てシーケンスに従って、ストリップ−シンボル期間において、信号を受信する；基地局１１００は、送信信号を生成するために、同一のダウンリンク・トーン・サブセット割り当てシーケンスを使用する。他のダウンリンク・トーン割り当てホッピング・ルーチン１１３２は、ストリップ−シンボル期間以外のシンボル期間について、ダウンリンク・トーン情報１１及びダウンリンク・チャネル情報１１５６を含む情報を使用して、ダウンリンク・トーン・ホッピング・シーケンスを構築する。ダウンリンク・データ・トーン・ホッピング・シーケンスは、セルのセクターの全体にわたって同期する。ビーコン・ルーチン１１３４は、ビーコン信号（例えば、１又は２、３のトーンに集中する比較的高出力の信号）の送信を制御する。それは、同期の目的で、例えば、ウルトラスロット境界線に関して、ダウンリンク信号、したがってトーン・サブセット割り当てシーケンスのフレーム・タイミング構造を同期させるために、使用されても良い。
【００７２】
例示的な無線端末
図１２は、図１０に示されるシステム１０００の無線端末（エンド・ノード）のうちの任意の一つ（例えば、ＥＮ（１） １０３６）として使用されることができる例示的な無線端末（エンド・ノード）１２００を示す。無線端末１２００は、トーン・サブセット割り当てシーケンスを実装する。無線端末１２００は、バス１２１０により一緒に接続された、復号器１２１２を含む受信機１２０２、符号器１２１４を含む送信機１２０４、プロセッサ１２０６及びメモリ１２０８を含む。各種のエレメント１２０２,１２０４,１２０６,１２０８は、バス１２１０の上でデータ及び情報を交換することができる。基地局（及び／又は異なる無線端末）から信号を受信するために使用されるアンテナ１２０３が、受信機１２０２に接続される。信号を例えば基地局（及び／又は異なる無線端末）へ送信するために使用されるアンテナ１２０５が、送信機１２０４に接続される。
【００７３】
プロセッサ１２０６（例えば、ＣＰＵ）は、メモリ１２０８中のルーチン群１２２０を実行すること及びデータ／情報１２２２を使用することによって、無線端末１２００のオペレーションを制御し、方法を実装する。
【００７４】
データ／情報１２２２は、ユーザ・データ１２３４、ユーザ情報１２３６、及びトーン・サブセット割り当てシーケンス情報１２５０を含む。ユーザ・データ１２３４は、送信機１２０４による基地局への送信に先立って符号化するために符号器１２１４に送られるであろう、ピア・ノードに向けられたデータ、及び、受信機１２０２において復号器１２１２により処理された、基地局からの受信データを含んでも良い。ユーザ情報１２３６は、アップリンク・チャネル情報１２３８、ダウンリンク・チャネル情報１２４０、端末ＩＤ情報１２４２、基地局ＩＤ情報１２４４、セクターＩＤ情報１２４６、及びモード情報１２４８を含む。アップリンク・チャネル情報１２３８は、基地局への送信時に使用するために、無線端末１２００のために基地局により割り当てられたアップリンク・チャネル・セグメントを識別する情報を含む。アップリンク・チャネルは、アップリンク・トラフィック・チャネル、専用アップリンク制御チャネル（例えば、リクエスト・チャネル）、電力制御チャネル及びタイミング制御チャネルを含んでも良い。各々のアップリンク・チャネルは、１又は複数の論理トーンを含む。各々の論理トーンは、アップリンク・トーン・ホッピング・シーケンスの後に続く。アップリンク・ホッピング・シーケンスは、一つのセルの各々のセクター・タイプの間で、そして、隣接するセルの間で、異なる。ダウンリンク・チャネル情報１２４０は、基地局がＷＴ １２００へデータ／情報を送信しているときに使用するために、ＷＴ １２００へ基地局により割り当てられていたダウンリンク・チャネル・セグメントを識別する情報を含む。ダウンリンク・チャネルは、ダウンリンク・トラフィック・チャネル及び割り当てチャネルを含んでも良い。各々のダウンリンク・チャネルは、１又は複数の論理トーンを含む。各々の論理トーンは、ダウンリンク・ホッピング・シーケンスの後に続く。ダウンリンク・ホッピング・シーケンスは、セルの各々のセクターの間で同期する。
【００７５】
ユーザ情報１２３６はまた、基地局により割り当てられた識別情報である端末ＩＤ情報１２４２、ＷＴがそれとの通信を確立した特定の基地局を識別する基地局ＩＤ情報１２４４、及びＷＴ １２００が現在位置するセルの特定のセクターを識別するセクターＩＤ情報１２４６を含む。基地局ＩＤ １６４４は、セル・スロープ値（cell slope value）を提供し、セクターＩＤ情報１６４６は、セクター・インデックス・タイプを提供する；セル・スロープ値及びセクター・インデックス・タイプは、トーン・ホッピング・シーケンスを得るために使用され得る。また、ユーザ情報１６３６に含まれるモード情報１６４８は、ＷＴ １６００がスリープ・モードにあるか、ホールド・モードにあるか、又は、オン・モードにあるかについて識別する。
【００７６】
トーン・サブセット割り当てシーケンス情報１６５０は、ダウンリンク・ストリップ−シンボル時間情報１６５２及びダウンリンク・トーン情報１６５４を含む。ダウンリンク・ストリップ−シンボル時間情報１２５２は、フレーム同期構造情報（例えば、スーパースロット、ビーコンスロット及びウルトラスロット構造情報）、及び、所与のシンボル期間がストリップ−シンボル期間であるかどうかを特定し、その場合はストリップ−シンボル期間のインデックスを特定し、更に、該ストリップ−シンボルが、基地局により使用されるトーン・サブセット割り当てシーケンスをトランケートするためのリセット・ポイントであるかどうかを特定する情報を含む。ダウンリンク・トーン情報１６５４は、基地局に割り当てられるキャリア周波数、トーンの数及び周波数、ストリップ−シンボル期間に割り当てられるトーン・サブセットのセット、及び、他のセル及びセクターに特有の値（例えば、スロープ、スロープ・インデックス及びセクター・タイプ）を含む情報を含む。
【００７７】
ルーチン群１２２０は、通信ルーチン群１２２４及び無線端末制御ルーチン群１２２６を含む。通信ルーチン群１２２４は、ＷＴ １２００により使用される様々な通信プロトコルを制御する。無線端末制御ルーチン群１２２６は、受信機１２０２及び送信機１２０４の制御を含む基本的な無線端末１２００の機能性を制御する。無線端末制御ルーチン群１２２６は、シグナリング・ルーチン１２２８を含む。シグナリング・ルーチン１２２８は、ストリップ−シンボル期間のためのトーン・サブセット割り当てルーチン１２３０、及び、残りのシンボル期間（例えば、非ストリップ−シンボル期間）のための他のダウンリンク・トーン割り当てホッピング・ルーチン１２３２を含む。トーン・サブセット割り当てルーチン１２３０は、幾つかの態様に従ってダウンリンク・トーン・サブセット割り当てシーケンスを生成し、基地局から送信された受信データを処理するために、ダウンリンク・チャネル情報１２４０、基地局ＩＤ情報１２４４（例えば、スロープ・インデックス及びセクター・タイプ）、及び、ダウンリンク・トーン情報１２５４を含むユーザ・データ／情報１２２２を使用する。他のダウンリンク・トーン割り当てホッピング・ルーチン１２３０は、ストリップ−シンボル期間以外のシンボル期間について、ダウンリンク・トーン情報１２５４及びダウンリンク・チャネル情報１２４０を含む情報を使用して、ダウンリンク・トーン・ホッピング・シーケンスを構築する。トーン・サブセット割り当てルーチン１２３０は、プロセッサ１２０６により実行されるときに、無線端末１１００が、いつ、そして、いずれのトーンの上で、基地局１２００から１又は複数のストリップ−シンボル信号を受信するべきかについて判定するために使用される。アップリンク・トーン割り当てホッピング・ルーチン１２３０は、いずれのトーンにおいてそれが送信されるべきか判定するために、基地局から受信される情報とともに、トーン・サブセット割り当て機能を使用する。
【００７８】
１又は複数の例示的な実施形態において、説明される機能は、ハードウェア、ソフトウェア、ファームウェア又はそれらの任意の組み合せにおいて実装されても良い。ソフトウェアで実装される場合には、該機能は、コンピュータ読み取り可能な媒体上の１又は複数のインストラクション又はコードとして格納され又は伝送されても良い。コンピュータ読み取り可能な媒体（computer-readable media）は、コンピュータ記憶媒体（computer storage media）及び通信媒体（communication media）の両方を含み、或る場所から他の場所へのコンピュータ・プログラムの転送を容易にする任意の媒体を含む。記憶媒体は、コンピュータによってアクセスできる任意の利用可能な媒体であっても良い。制限としてではなく例として、そのようなコンピュータ読み取り可能な媒体は、ＲＡＭ、ＲＯＭ、ＥＥＰＲＯＭ（登録商標）、ＣＤ−ＲＯＭ又は他の光ディスク記憶装置、磁気ディスク記憶装置又は他の磁気記憶装置、又は、インストラクション又はデータ構造の形で所望のプログラム・コードを運ぶ又は記憶するために使用されることができ且つコンピュータによりアクセスされることができる任意の他の媒体を含むことができる。また、任意のコネクションは、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線及びマイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線及びはマイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタル・バーサタイル・ディスク（ＤＶＤ）、フロッピー（登録商標）ディスク及びブルーレイディスク（登録商標）を含む。ここで、ディスク（disks）は、通常、磁気的にデータを再生（reproduce）し、一方、ディスク（discs）は、レーザーを使って光学的にデータを再生する。上記の組み合わせはまた、コンピュータ読み取り可能な媒体の範囲の中に含まれるべきである。
【００７９】
実施形態がプログラム・コード又はコード・セグメントで実装されるとき、コード・セグメントは、手続き、関数、サブプログラム、プログラム、ルーチン、サブルーチン、モジュール、ソフトウェア・パッケージ、クラスを表すことができ、又は、インストラクション、データ構造若しくはプログラム・ステートメントの任意の組合せを表すことができる。コード・セグメントは、情報、データ、引数、パラメータ又はメモリ内容をパス及び／又は受信することによって、他のコード・セグメント又はハードウェア回路に接続されることができる。情報、引数、パラメータ、データなどは、メモリ共有、メッセージ・パッシング、トークン・パッシング、ネットワーク伝送など含む任意の適当な手段を用いて、パス、転送又は送信されることができる。さらに、幾つかの態様において、方法又はアルゴリズムのステップ及び／又はアクションは、機械読み取り可能な媒体及び／又はコンピュータ読み取り可能な媒体の上のコード及び／又はインストラクションのセットの一つ又は任意の組み合せとして存在することができる。そして、それは、コンピュータ・プログラム製品に組み込まれることができる。
【００８０】
ソフトウェア実装については、本明細書で説明される技術は、本明細書で説明される機能を実行するモジュール（例えば、手続き、関数、その他）で実装されることができる。
ソフトウェア・コードは、メモリ・ユニットに記憶されて、プロセッサにより実行されることができる。メモリ・ユニットは、プロセッサの内部又は外部に実装されることが可能であり、その場合には、それは、当該技術分野において知られている様々な手段を通じて該プロセッサに通信で接続されることができる。
【００８１】
ハードウェア実装については、処理ユニットは、１又は複数の特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡｓ）、プロセッサ、コントローラ、マイクロコントローラ、マイクロプロセッサ、本明細書で説明された機能を実行するようにデザインされた他の電子ユニット、又はそれらの組合せの中で実装されることができる。
【００８２】
上に説明されたことは、一つ又は複数の実施形態の例を含む。前述の実施形態を説明することを目的としてコンポーネント又は手順の考えられる組み合わせをすべて説明することはもちろん可能ではないが、様々な実施形態の多数のさらなる組み合わせ又は置換が可能であることを当業者は認識できる。したがって、説明された実施形態は、添付のクレームの精神及び範囲内に含まれるそのような変更、修正及び変形をすべて包含することを意図されている。さらに、語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。
【００８３】
本明細書で用いられるように、用語“推論する（infer）”又は“推論（inference）”は、一般に、イベント及び／又はデータを通して捕捉された一連の観測から、システム、環境及び／又はユーザの状態を推論（reasoning about）又は推論（inferring）するプロセスを指す。例えば、推論は、特定の状況（context）又はアクションを特定するために用いることができ、また、状態上の確率分布（probability distribution over states）を生成することができる。推論は、確率的であっても良い、すなわち、データ及びイベントの考慮に基づく、対象の状態上の確率分布の計算であっても良い。また、推論は、一連のイベント及び／又はデータから、よりハイレベルなイベントを構成するために用いられる技術を指すことができる。そのような推論は、一連の観測されたイベント及び／又は記憶されたイベントデータからの新たなイベント又はアクションの構築を、該イベントが緊密な時間的近接性と相関性があるかどうかにかかわらず且つ該イベント及びデータが一つ又は幾つかのイベント及びデータソースに由来しているかどうかにかかわらず、もたらす。
【００８４】
さらに、この出願において用いられる用語“コンポーネント（component）”、“モジュール（module）”、“システム（system）”及び同類のものは、コンピュータ関連のエンティティーである、ハードウェア、ファームウェア、ハードウェアとソフトウェアの組み合わせ、ソフトウェア又は実行中のソフトウェアのいずれをも指すことを意図されている。例えば、コンポーネントは、プロセッサ上で動作するプロセス、プロセッサ、オブジェクト、実行ファイル（executable）、実行のスレッド、プログラム、及び／又は、コンピュータであっても良い（ただし、これらに制限されるものではない）。例として、コンピュータデバイス上で動作するアプリケーションと、そのコンピュータデバイスの両方とも、コンポーネントであり得る。１又は複数のコンポーネントがプロセス及び／又は実行のスレッドの内部に存在することができ、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインタラクトする、一つのコンポーネントからのデータ）を持つ信号に従うような、ローカルプロセス及び／又はリモートプロセスを経由して、通信することができる。
【図１】
2016067011.tif 000006
【図２】
2016067011.tif 000007
【図３】
2016067011.tif 000008
【図４】
2016067011.tif 000009
【図５】
2016067011.tif 000010
【図６】
2016067011.tif 000011
【図７】
2016067011.tif 000012
【図８】
2016067011.tif 000013
【図９】
2016067011.tif 000014
【図１０】
2016067011.tif 000015
【図１１】
2016067011.tif 000016
【図１２】
2016067011.tif 000017
【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
分散カバレージ最適化を容易にする方法において、該方法は、
少なくとも一つの外部エンティティーとの通信を確立することと、
前記少なくとも一つの外部エンティティーからカバレージ関連測定結果を受信することと、
前記カバレージ関連測定結果に応じて、カバレージ・パラメータを自己最適化することを含む方法。
【手続補正２】
【補正対象書類名】明細書
【補正対象項目名】００８４
【補正方法】変更
【補正の内容】
【００８４】
さらに、この出願において用いられる用語“コンポーネント（component）”、“モジュール（module）”、“システム（system）”及び同類のものは、コンピュータ関連のエンティティーである、ハードウェア、ファームウェア、ハードウェアとソフトウェアの組み合わせ、ソフトウェア又は実行中のソフトウェアのいずれをも指すことを意図されている。例えば、コンポーネントは、プロセッサ上で動作するプロセス、プロセッサ、オブジェクト、実行ファイル（executable）、実行のスレッド、プログラム、及び／又は、コンピュータであっても良い（ただし、これらに制限されるものではない）。例として、コンピュータデバイス上で動作するアプリケーションと、そのコンピュータデバイスの両方とも、コンポーネントであり得る。１又は複数のコンポーネントがプロセス及び／又は実行のスレッドの内部に存在することができ、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインタラクトする、一つのコンポーネントからのデータ）を持つ信号に従うような、ローカルプロセス及び／又はリモートプロセスを経由して、通信することができる。
以下に、本願出願の当初の特許請求の範囲に記載された発明を付記する。
［Ｃ１］
分散カバレージ最適化を容易にする方法において、該方法は、
少なくとも一つの外部エンティティーとの通信を確立することと、
前記少なくとも一つの外部エンティティーからカバレージ関連測定結果を受信することと、
前記カバレージ関連測定結果に応じて、カバレージ・パラメータを自己最適化することを含む方法。
［Ｃ２］
前記少なくとも一つの外部エンティティーは、無線端末であるＣ１の方法。
［Ｃ３］
前記カバレージ関連測定結果を収集するように、前記無線端末を設定することを更に含むＣ２の方法。
［Ｃ４］
前記少なくとも一つの外部エンティティーは、基地局であるＣ１の方法。
［Ｃ５］
前記確立することは、前記基地局とのバックホール・コネクションを容易にすることを含むＣ４の方法。
［Ｃ６］
前記カバレージ関連測定に基づいて、カバレージ・レポートを生成することを更に含むＣ１の方法。
［Ｃ７］
前記カバレージ・レポートに含ませるために、カバレージ関連統計のセットを確認することを更に含み、
前記カバレージ関連統計のセットは、前記カバレージ関連測定結果にわたって計算されるＣ６の方法。
［Ｃ８］
前記カバレージ関連統計のセットは、カバレージ品質、受信電力、受信干渉電力、ユーザ装置送信電力、セル・ジオメトリー又は経路損失のうちの少なくとも一つに関連するＣ７の方法。
［Ｃ９］
前記受信干渉電力は、特定の隣接局からの受信ダウンリンク干渉電力であるＣ８の方法。
［Ｃ１０］
前記カバレージ関連測定結果にわたって、平均値、最大値又は最小値のうちの少なくとも一つを計算することを更に含むＣ７の方法。
［Ｃ１１］
前記計算することは、基準信号受信電力、基準信号受信品質、基準信号強度表示又はユーザ装置送信電力のうちの少なくとも一つにわたって、前記平均値、前記最大値又は前記最小値のうちの少なくとも一つを計算することを含むＣ１０の方法。
［Ｃ１２］
前記基準信号受信電力、前記基準信号受信品質又は前記基準信号強度表示のうちの少なくとも一つは、サービング・セルに関連するＣ１１の方法。
［Ｃ１３］
前記基準信号受信電力、前記基準信号受信品質又は前記基準信号強度表示のうちの少なくとも一つは、近隣セルに関連するＣ１１の方法。
［Ｃ１４］
前記計算することは、セル・ジオメトリー、セルにおける経路損失又はユーザ装置の信号対雑音比要求量のうちの少なくとも一つを平均することを含むＣ１０の方法。
［Ｃ１５］
前記計算することは、少なくとも一つの近隣セルに関連する干渉係数を計算することを含むＣ１０の方法。
［Ｃ１６］
前記カバレージ・レポートは、少なくとも一つのセルにより提供されるカバレージに関連するＣ６の方法。
［Ｃ１７］
前記少なくとも一つのセルは、近隣セルであるＣ１６の方法。
［Ｃ１８］
前記少なくとも一つのセルは、拡張した近隣セルであるＣ１６の方法。
［Ｃ１９］
前記カバレージ・レポートは、サービング・セルからの閾値数のホップの範囲内の拡張した近隣セルのセットに関連するカバレージ情報を含むために、ネットワーク・エンティティーにより設定可能であるＣ１８の方法。
［Ｃ２０］
前記カバレージ・レポートを基地局へ通信することを更に含むＣ６の方法。
［Ｃ２１］
前記カバレージ・レポートは、カバレージ・レポートのシリーズに含まれ、
前記通信することは、期間に基づいて、前記カバレージ・レポートのシリーズをレポートすることを含むＣ２０の方法。
［Ｃ２２］
前記期間は、ネットワーク・エンティティーにより設定可能であるＣ２１の方法。
［Ｃ２３］
トリガー・イベントを検出することを更に含み、
前記通信することは、前記トリガー・イベントに基づくＣ２０の方法。
［Ｃ２４］
前記トリガー・イベントは、前記カバレージ・レポートのためのリクエストであるＣ２３の方法。
［Ｃ２５］
セルにおける負荷を監視することを更に含み、
前記検出することは、前記負荷が閾値を超えるかどうかについて判定することを含むＣ２３の方法。
［Ｃ２６］
分散カバレージ最適化を容易にするように構成される装置において、
メモリに記憶されたコンピュータ実行可能なコンポーネントを実行するように構成されるプロセッサを含み、該コンポーネントは、
少なくとも一つの外部エンティティーから少なくとも一つのカバレージ関連測定結果を受信するように構成される通信コンポーネントと、
前記少なくとも一つのカバレージ関連測定結果に応じて、カバレージ・パラメータを自己最適化するように構成される最適化コンポーネントとを含む装置。
［Ｃ２７］
前記少なくとも一つの外部エンティティーは、無線端末であるＣ２６の装置。
［Ｃ２８］
前記通信コンポーネントは、設定データを前記無線端末へ提供するように更に構成され、
前記設定データは、前記少なくとも一つのカバレージ関連測定結果を収集するように前記無線端末を設定するＣ２７の装置。
［Ｃ２９］
前記少なくとも一つの外部エンティティーは、基地局であるＣ２６の装置。
［Ｃ３０］
前記通信コンポーネントは、前記基地局とのバックホール・コネクションを容易にするように更に構成されるＣ２９の装置。
［Ｃ３１］
前記少なくとも一つのカバレージ関連測定結果に基づいて、カバレージ・レポートを提供するように構成される計算コンポーネント更に含むＣ２６の装置。
［Ｃ３２］
前記計算コンポーネントは、前記カバレージ・レポートに含ませるために、カバレージ関連統計のセットを判定するように更に構成され、
前記カバレージ関連統計のセットは、前記少なくとも一つのカバレージ関連測定結果にわたって計算されるＣ３１の装置。
［Ｃ３３］
前記カバレージ関連統計のセットは、カバレージ品質、受信電力、受信干渉電力、ユーザ装置送信電力、セル・ジオメトリー又は経路損失のうちの少なくとも一つに関連するＣ３２の装置。
［Ｃ３４］
前記受信干渉電力は、特定の隣接局からの受信ダウンリンク干渉電力であるＣ３３の装置。
［Ｃ３５］
前記計算コンポーネントは、前記少なくとも一つのカバレージ関連測定結果にわたって、平均値、最大値又は最小値のうちの少なくとも一つを計算するように更に構成されるＣ３２の装置。
［Ｃ３６］
前記計算コンポーネントは、基準信号受信電力、基準信号受信品質、基準信号強度表示又はユーザ装置送信電力のうちの少なくとも一つにわたって、前記平均値、前記最大値又は前記最小値のうちの少なくとも一つを計算するように更に構成されるＣ３５の装置。
［Ｃ３７］
前記基準信号受信電力、前記基準信号受信品質又は前記基準信号強度表示のうちの少なくとも一つは、サービング・セルに関連するＣ３６の装置。
［Ｃ３８］
前記基準信号受信電力、前記基準信号受信品質又は前記基準信号強度表示のうちの少なくとも一つは、近隣セルに関連するＣ３６の装置。
［Ｃ３９］
前記計算コンポーネントは、セル・ジオメトリー、セルにおける経路損失又はユーザ装置の信号対雑音比要求量のうちの少なくとも一つの平均を実行するように更に構成されるＣ３５の装置。
［Ｃ４０］
前記計算コンポーネントは、少なくとも一つの近隣セルに関連する干渉係数を計算するように更に構成されるＣ３５の装置。
［Ｃ４１］
前記カバレージ・レポートは、少なくとも一つのセルにより提供されるカバレージに関連するＣ３１の装置。
［Ｃ４２］
前記少なくとも一つのセルは、近隣セルであるＣ４１の装置。
［Ｃ４３］
前記少なくとも一つのセルは、拡張した近隣セルであるＣ４１の装置。
［Ｃ４４］
前記カバレージ・レポートは、サービング・セルからの閾値数のホップの範囲内の拡張した近隣セルのセットに関連するカバレージ情報を含むために、ネットワーク・エンティティーにより設定可能であるＣ４３の装置。
［Ｃ４５］
前記通信コンポーネントは、前記カバレージ・レポート基地局へ通信するように更に構成されるＣ３１の装置。
［Ｃ４６］
前記カバレージ・レポートは、カバレージ・レポートのシリーズに含まれ、
前記通信コンポーネントは、期間に基づいて、前記カバレージ・レポートのシリーズをレポートするように更に構成されるＣ４５の装置。
［Ｃ４７］
前記期間は、ネットワーク・エンティティーにより設定可能であるＣ４６の装置。
［Ｃ４８］
トリガー・イベントを検出するように構成されるトリガー・コンポーネントを更に含み、
前記通信コンポーネントは、前記トリガー・イベントに基づいて、前記カバレージ・レポートを通信するように更に構成されるＣ４５の装置。
［Ｃ４９］
前記トリガー・イベントは、前記カバレージ・レポートのためのリクエストであるＣ４８の装置。
［Ｃ５０］
前記トリガー・コンポーネントは、セルにおけるロードが閾値を超えるかどうか判定するように更に構成されるＣ４８の装置。
［Ｃ５１］
分散カバレージ最適化を容易にするコンピュータ・プログラム製品において、
少なくとも一つのコンピュータに、
少なくとも一つの外部エンティティーとの通信を確立させ、
前記少なくとも一つの外部エンティティーから少なくとも一つのカバレージ関連測定結果を受信させ、
前記少なくとも一つのカバレージ関連測定結果に応じて、カバレージ・パラメータを自己最適化させるためのコードを含むコンピュータ読み取り可能な記憶媒体を含むコンピュータ・プログラム製品。
［Ｃ５２］
前記コードは、更に、前記少なくとも一つのコンピュータに、前記少なくとも一つのカバレージ関連測定結果に基づいて、カバレージ・レポートを提供させるＣ５１のコンピュータ・プログラム製品。
［Ｃ５３］
前記コードは、更に、前記少なくとも一つのコンピュータに、前記カバレージ・レポートに含ませるために、カバレージ関連統計のセットを判定させ、
前記カバレージ関連統計のセットは、前記少なくとも一つのカバレージ関連測定結果にわたって計算されるＣ５２のコンピュータ・プログラム製品。
［Ｃ５４］
前記コードは、更に、前記少なくとも一つのコンピュータに、前記少なくとも一つのカバレージ関連測定結果にわたって、平均値、最大値又は最小値のうちの少なくとも一つを計算させるＣ５３のコンピュータ・プログラム製品。
［Ｃ５５］
前記コードは、更に、前記少なくとも一つのコンピュータに、前記カバレージ・レポート基地局へ通信させるＣ５２のコンピュータ・プログラム製品。
［Ｃ５６］
分散カバレージ最適化を容易にするように構成される装置において、該装置は、
少なくとも一つの外部エンティティーとの通信を確立するための手段と、
前記少なくとも一つの外部エンティティーからカバレージ関連測定結果を受信するための手段と、
前記カバレージ関連測定結果に応じて、カバレージ・パラメータを自己最適化するための手段とを含む装置。
［Ｃ５７］
前記カバレージ関連測定に基づいて、カバレージ・レポートを生成するための手段を更に含むＣ５６の装置。
［Ｃ５８］
前記カバレージ・レポートは、少なくとも一つのセルにより提供されるカバレージに関連するＣ５７の装置。
［Ｃ５９］
前記カバレージ・レポートに含ませるために、カバレージ関連統計のセットを確認するための手段を更に含み、
前記カバレージ関連統計のセットは、前記カバレージ関連測定結果にわたって計算されるＣ５７の装置。
［Ｃ６０］
前記カバレージ関連統計のセットは、カバレージ品質、受信電力、受信干渉電力、ユーザ装置送信電力、セル・ジオメトリー又は経路損失のうちの少なくとも一つに関連するＣ５９の装置。
【外国語明細書】
2016067011000001.pdf